(57)【要約】【課題】確実に旋回流を生じさせ、基礎を貫通する排水管を閉塞しないようにその排水を流出させることができる基礎貫通配管用継手、並びに、この継手を用いて負圧の発生を確実に防止できる基礎貫通配管構造を提供する。【解決手段】建物の基礎３の内側に旋回流を発生させる基礎貫通配管用継手５を配置し、床下に配設した排水管６を上記継手５の上部接続口５ａに接続すると共に、基礎３を貫通する排水管７を上記継手５の下部接続口５ｂに接続した構成の基礎貫通配管構造とする。基礎貫通配管用継手５は、有底筒状の継手本体の上部周壁から湾曲して漸次膨出するように形成された曲率半径が上部周壁の半径よりも大きい湾曲流入路５ｅと、この湾曲流入路の先端に形成された上部接続口５ａと、継手本体の片側に偏位して下部周壁からその接線に沿って旋回流の流れ方向に突設された下部接続口５ｂとを備えた構成とする。【選択図】図１
2005290676.tif 000002
【特許請求の範囲】
【請求項１】
建物の基礎の内側に旋回流を発生させる基礎貫通配管用継手を配置し、床下に配設した排水管を上記継手の上部接続口に接続すると共に、基礎を貫通する排水管を上記継手の下部接続口に接続した基礎貫通配管構造であって、上記継手は、有底筒状の継手本体と、この継手本体の上部周壁から湾曲して漸次膨出するように形成された曲率半径が上部周壁の半径よりも大きい湾曲流入路と、この湾曲流入路の先端に形成された上部接続口と、継手本体の片側に偏位して下部周壁からその接線に沿って旋回流の流れ方向に突設された下部接続口とを備えたものであることを特徴とする基礎貫通配管構造。
【請求項２】
有底筒状の継手本体と、この継手本体の上部周壁から湾曲して漸次膨出するように形成された曲率半径が上部周壁よりも大きい湾曲流入路と、この湾曲流入路の先端に形成された排水管接続用の上部接続口と、継手本体の片側に偏位して下部周壁からその接線に沿って旋回流の流れ方向に突設された排水管接続用の下部接続口とを備えたことを特徴とする基礎貫通配管用継手。
【請求項３】
継手本体の上端と湾曲流入路の上端が開放され、これらの開放された上端に蓋体が脱着自在又は開閉自在に被着されていることを特徴とする請求項２に記載の基礎貫通配管用継手。
【請求項４】
湾曲流入路の上部接続口より上側に空間部が生じるように湾曲流入路の高さ寸法が上部接続口の口径より大きくなっていることを特徴とする請求項２又は請求項３に記載の基礎貫通配管用継手。
【請求項５】
継手本体が、湾曲流入路とその先端の上部接続口を備えた上部筒体と、下部接続口を備えた有底の下部筒体と、これらの上部筒体と下部筒体に両端部が接続された中間筒体とからなることを特徴とする請求項２ないし請求項４のいずれかに記載の基礎貫通配管用継手。
【請求項６】
上部接続口と下部接続口が正反対の方向を向くように形成されていることを特徴とする請求項２ないし請求項５のいずれかに記載の基礎貫通配管用継手。
【請求項７】
上部接続口に対して下部接続口が斜め後ろ４５°の方向又は９０°の方向を向くように形成されていることを特徴とする請求項２ないし請求項５のいずれかに記載の基礎貫通配管用継手。
【発明の詳細な説明】
【技術分野】
【０００１】
本発明は、家屋の床下に配管施工される集中一括排水システムの基礎貫通配管部分において負圧の発生を防止することができる基礎貫通配管構造と、それに用いる基礎貫通配管用継手に関する。
【背景技術】
【０００２】
床下に配管施工される集中一括排水システムは、排水量が増えたり流速が速くなると、排水が段差のある基礎貫通配管部分を閉塞して管内の通気を遮断するため負圧が発生し、この負圧によって洗面台、台所、浴室、トイレなどの水設備からの排水管の封水破壊が生じるという問題があった。
【０００３】
かかる問題に対処するため、家屋の基礎の内側に垂直短管を配設し、床下の排水管の先端を曲がった状態となるように継手を介して垂直短管の上端に接続すると共に、垂直短管の下端と基礎を貫通する排水管を９０度エルボ継手を介して接続した基礎貫通配管構造が提案されている（特許文献１参照）。
【０００４】
この基礎貫通配管構造は、床下の排水管の先端を曲がった状態で垂直短管の上端に接続することによって、排水管から垂直短管に流れ込む排水が垂直短管の内周面に沿って螺旋状に流れ落ちるようにし、垂直短管の中心に形成される空気芯を通じて管内の通気を確保して負圧の発生を防止しようとするものである。
【０００５】
けれども、この基礎貫通配管構造では、垂直短管の内周面に沿って螺旋状に勢い良く流れ落ちた排水が、下端の９０度エルボ継手で跳ね返りながら基礎を貫通する排水管に大量に流れ込むため、この排水管の流入端が排水によって閉塞されやすく、やはり負圧が発生しやすいという問題が残されていた。
【０００６】
また、螺旋流（旋回流）を生じさせる管継手として、下端中央に下向きの接続口を有し、上部に流入管部とその先端の接続口を有し、周壁に旋回流を発生させる膨出部を形成したものも提案されている（特許文献２参照）。この管継手は膨出部によって確実に旋回流を発生させるものであるが、上記の基礎貫通配管構造において、この管継手を用いて床下の排水管と垂直短管を接続しても、上記と同様に基礎を貫通する排水管の流入端が排水によって閉塞されやすいため、やはり負圧が発生しやすいことに変わりはない。
【特許文献１】特開２００３−１２９５４１号公報
【特許文献２】特開平８−２３２３１２号公報
【発明の開示】
【発明が解決しようとする課題】
【０００７】
本発明は上記の問題に対処すべくなされたもので、確実に旋回流を生じさせ、基礎を貫通する排水管を閉塞しないようにその排水を該排水管へ流出させることができる基礎貫通配管用継手を提供すること、並びに、この継手を用いて床下の排水管と基礎を貫通する排水管を接続することにより負圧の発生を確実に防止できる基礎貫通配管構造を提供すること、を解決課題としている。
【課題を解決するための手段】
【０００８】
上記の課題を解決するため、本発明に係る基礎貫通配管構造は、建物の基礎の内側に旋回流を発生させる基礎貫通配管用継手を配置し、床下に配設した排水管を上記継手の上部接続口に接続すると共に、基礎を貫通する排水管を上記継手の下部接続口に接続した基礎貫通配管構造であって、上記継手は、有底筒状の継手本体と、この継手本体の上部周壁から湾曲して漸次膨出するように形成された曲率半径が上部周壁の半径よりも大きい湾曲流入路と、この湾曲流入路の先端に形成された上部接続口と、継手本体の片側に偏位して下部周壁からその接線に沿って旋回流の流れ方向に突設された下部接続口とを備えたものであることを特徴としている。
【０００９】
そして、本発明に係る基礎貫通配管用継手は、上記のように、有底筒状の継手本体と、この継手本体の上部周壁から湾曲して漸次膨出するように形成された曲率半径が上部周壁よりも大きい湾曲流入路と、この湾曲流入路の先端に形成された排水管接続用の上部接続口と、継手本体の片側に偏位して下部周壁からその接線に沿って旋回流の流れ方向に突設された排水管接続用の下部接続口とを備えたことを特徴とするものである。
【００１０】
本発明の基礎貫通配管用継手においては、継手本体の上端と湾曲流入路の上端が開放され、これらの開放された上端に蓋体が脱着自在又は開閉自在に被着されていることが望ましく、また、湾曲流入路の上部接続口より上側に空間部が生じるように湾曲流入路の高さ寸法が上部接続口の口径より大きくなっていることが望ましい。そして、継手本体は、湾曲流入路とその先端の上部接続口を備えた上部筒体と、下部接続口を備えた有底の下部筒体と、これらの上部筒体と下部筒体に両端部が接続された中間筒体とからなることが望ましい。上部接続口と下部接続口は正反対の方向を向くように形成されていてもよく、また、上部接続口に対して下部接続口が斜め後ろ４５°の方向又は９０°の方向を向くように形成されていてもよい。
【発明の効果】
【００１１】
本発明の基礎貫通配管用継手（以下、継手という）を建物の基礎の内側に設置し、その上部接続口に床下の排水管（以下、床下排水管という）を接続すると共に、その下部接続口に基礎を貫通する排水管（以下、貫通排水管という）を接続した本発明の基礎貫通配管構造では、床下排水管から排水が継手の湾曲流入路に沿って曲がりながら流入し、さらに継手本体の周壁内面に沿って旋回しながら流れ落ち、下部接続口に接続された貫通排水管へ排出される。このように排水が継手内部で旋回流になって流れ落ちると、継手の中心線部分（旋回流の中心部分）に空気の通路が形成されるため、この空気の通路を経て床下排水管と貫通排水管の通気を確保することができる。そして、この継手の下部接続口は、継手本体の片側に偏位して下部周壁からその接線に沿って上記旋回流の流れ方向に突設されているため、旋回しながら流れ落ちた排水は下部接続口から旋回流の流れ方向にスムーズに流出し、下部接続口や貫通排水管が排水によって閉塞されることもない。従って、本発明の継手を用いて施工した本発明の基礎貫通配管構造は、床下排水管から貫通排水管まで通気が確保され、途中で閉塞、遮断されることがないため、管内での負圧の発生を確実に防止でき、それによって各水設備から床下排水管に通じる排水管の封水破壊をなくすことができる。
【００１２】
本発明の継手において、継手本体の上端と湾曲流入路の上端が開放され、これらの開放された上端に蓋体が脱着自在又は開閉自在に被着されたものは、蓋体を外すか又は開いて、簡単に継手内部の点検、清掃等を行うことができるので、メンテナンスが容易である。
【００１３】
また、湾曲流入路の上部接続口より上側に空間部が生じるように湾曲流入路の高さ寸法を上部接続口の口径より大きくした継手は、排水が湾曲流入路に沿って曲がりながら流入するときに湾曲流入路内の水位が上昇しても、上側に空間部があるので湾曲流入路が排水で閉塞される心配はない。
【００１４】
更に、継手本体が、湾曲流入路とその先端の上部接続口を備えた上部筒体と、下部接続口を備えた有底の下部筒体と、これらの上部筒体と下部筒体に両端部が接続された中間筒体とで構成されている継手は、中間筒体の長さを変えることによって、床下排水管と貫通排水管との落差に対応するように継手本体の高さ（下部接続口から上部接続口までの高さ）を自在に調節することができる。そして、上部筒体と下部筒体を相対的に回すことにより、上部接続口と下部接続口の向きを自在に変更することもできる。
【００１５】
上部接続口と下部接続口が正反対の方向を向くように形成された継手は、床下排水管に対して貫通排水管を同じ方向に接続する場合に使用されるが、上部接続口に対して下部接続口が斜め後ろ４５°の方向又は９０°の方向を向くように形成された継手は、床下排水管に対して貫通排水管を４５°又は９０°の角度で接続する場合に使用される。
【発明を実施するための最良の形態】
【００１６】
以下、図面を参照して本発明の具体的な実施形態を詳述する。
【００１７】
図１は本発明の一実施形態に係る基礎貫通配管構造の説明図、図２は同配管構造に使用される本発明の基礎貫通配管用継手の側面図、図３は図２のＡ−Ａ線断面図、図４は蓋体を取外した同継手の平面図である。
【００１８】
図１に示す基礎貫通配管構造では、建物の床下のコンクリート面１に合成樹脂製の排水ヘッダー２が設置され、この排水ヘッダー２に洗面台、台所、浴室、トイレなどの各水設備からの排水管（不図示）が接続されている。そして、コンクリート製の基礎３（布基礎）の内側に形成された箱抜き部分４に本発明の合成樹脂製の基礎貫通配管用継手５が設置され、この継手５の上部接続口５ａには排水ヘッダー２からの排水管６が、下部接続口５ｂには基礎３を貫通する排水管７がそれぞれ接続されている。この貫通排水管７は基礎３の外側に埋設された宅内排水桝８に接続され、公共の下水管（不図示）へ通じている。
【００１９】
この基礎貫通配管構造に使用される本発明の合成樹脂製の継手５は、図３に示すような有底筒状の継手本体５ｃと、図４に示す如く継手本体５ｃの上部周壁５ｄから湾曲して漸次膨出するように形成された曲率半径が上部周壁５ｄよりも大きい湾曲流入路５ｅと、図２，図４に示すように湾曲流入路５ｅの先端に形成された上記の床下排水管６接続用の上部接続口５ａと、図２，図３，図４に示すように継手本体５ｃの片側に偏位して下部周壁５ｆからその接線に沿って旋回流の流れ方向に突設された上記の貫通排水管７接続用の下部接続口５ｂとを備えたものである。
【００２０】
この継手本体５ｃは、図２、図３に示すように、上部筒体５ｇと、有底の下部筒体５ｈと、中間筒体５ｉの三つ構成部材からなるもので、中間筒体５ｉの両端部は上部筒体５ｇの下端接続口５ｊと下部筒体５ｈの上端接続口５ｋに差込み接続されて接着剤で水密的に接着されている。そして、上部筒体５ｇには上記の湾曲流入路５ｅと床下排水管接続用の上部接続口５ａが一体に形成され、下部筒体５ｈには上記の貫通排水管接続用の下部接続口５ｂが一体に形成されている。
【００２１】
このような継手５は、中間筒体５ｉの長さを変えることによって、床下排水管６と貫通排水管７との落差に対応するように継手本体５ｃの高さ（下部接続口から上部接続口までの高さ）を自在に調節することが可能である。また、この継手５は、図２、図４に示すように上部接続口５ａと下部接続口５ｂが正反対の方向を向き、床下排水管６に対して貫通排水管７を同じ方向に接続できるようになっているが、上部筒体５ｇと下部筒体５ｈを相対的に回せば、上部接続口５ａと下部接続口５ｂの向きを自在に変更して、床下排水管６と貫通排水管７を所望の角度で接続することも可能である。
【００２２】
図３、図４に示すように、継手本体５ｃ（上部筒体５ｇ）の上端と湾曲流入路５ｅの上端はいずれも開放され、これらの開放された上端には蓋体５ｍが脱着自在に被着されている。従って、この蓋体５ｍを取り除くと、簡単に継手５内部の点検、清掃等を行うことができるので、メンテナンスが容易である。この蓋体５ｍは、例えばヒンジ部材等を用いて開閉自在に被着してもよい。
【００２３】
また、図２、図３に示すように、この湾曲流入路５ｅは、その高さ寸法が上部接続口５ａの口径より大きく設定されているため、湾曲流入路５ｅの上部接続口５ａより上側に空間部５ｎ（図３参照）が存在している。このような空間部５ｎが存在すると、床下排水管６からの排水が湾曲流入路５ｅに沿って曲がりながら流入するときに湾曲流入路５ｅ内の水位が上昇しても、湾曲流入路５ｅが排水で閉塞される心配はない。
【００２４】
一方、継手本体５ｃの底壁５ｐは、図３に示すように、その外周部が下部接続口５ｂの半径に等しい曲率半径をもって丸く形成されており、これによって排水が下部接続口５ｂへスムーズに流出できるようになっている。
【００２５】
以上のような構成の継手５を布基礎３の内側に設置し、その上部接続口５ａと下部接続口５ｂに床下排水管６と貫通排水管７を接続した基礎貫通配管構造にあっては、床下排水管６から排水が継手５の湾曲流入路５ｅに沿って曲がりながら流入し、さらに継手本体５ｃの周壁内面に沿って旋回しながら流れ落ち、下部接続口５ｂから貫通排水管７へ流出される。このように排水が継手５内部で旋回流になって流れ落ちると、継手５の中心線部分（旋回流の中心部分）に空気の通路が形成されるため、この空気の通路を経て床下排水管６と貫通排水管７の通気が確保される。そして、この継手５の下部接続口５ｂは、継手本体５ｃ（下部筒体５ｈ）の片側に偏位して下部周壁５ｆからその接線に沿って上記旋回流の流れ方向に突設されており、しかも継手本体５ｃの底壁５ｐの外周部が下部接続口５ｂの半径と同じ曲率半径をもって丸く形成されているため、旋回しながら流れ落ちた排水は底壁５ｐの外周部から下部接続口５ｂを通って旋回流の流れ方向にスムーズに流出し、この流出した排水によって下部接続口５ｂや貫通排水管７が閉塞されることもない。従って、この基礎貫通配管構造では、床下排水管６から貫通排水管７まで通気が確保され、途中で排水により閉塞、遮断されることがないため、管路内での負圧の発生を確実に防止することができ、それによって排水ヘッダー２に接続されている各水設備からの排水管（不図示）の封水破壊をなくすことができる。
【００２６】
図５は本発明の他の実施形態に係る基礎貫通配管用継手の側面図、図６は図５のＢ−Ｂ線断面図と、図７は蓋体を取外した同継手の平面図である。
【００２７】
この継手５は、前述した図２〜図４に示す継手５の下部筒体５ｈを４５°回すことにより、上部接続口５ａに対して下部接続口５ｂが斜め後ろ４５°の方向を向くように構成したものであり、このような継手５は床下排水管６に対して貫通排水管７を４５°の角度で接続する場合に使用される。この継手５の他の構成は前述した図２〜図４に示す継手５と同一であるから、図５〜図７において同一部材に同一符号を付し、説明を省略する。
【００２８】
また、場合によっては、前述した図２〜図４に示す継手５の下部筒体５ｈを９０°回すことにより、上部接続口５ａに対して下部接続口５ｂが９０°の方向を向くように構成してもよい。このような継手５は、床下排水管６に対して貫通排水管７を直角に接続する場合に使用される。
【図面の簡単な説明】
【００２９】
【図１】本発明の一実施形態に係る基礎貫通配管構造の説明図である。
【図２】同配管構造に使用される本発明の基礎貫通配管用継手の側面図である。
【図３】図２のＡ−Ａ線断面図である。
【図４】蓋体を取外した同継手の平面図である。
【図５】本発明の他の実施形態に係る基礎貫通配管用継手の側面図である。
【図６】図５のＢ−Ｂ線断面図である。
【図７】蓋体を取外した同継手の平面図である。
【符号の説明】
【００３０】
２    排水ヘッダー
３    基礎（布基礎）
５    基礎貫通配管用継手
５ａ  上部接続口
５ｂ  下部接続値
５ｃ  継手本体
５ｄ  上部周壁
５ｅ  湾曲流入路
５ｆ  下部周壁
５ｇ  上部筒体
５ｈ  下部筒体
５ｉ  中間筒体
５ｍ  蓋体
５ｎ  空間部
５ｐ  底壁
６    床下排水管
７    貫通排水管
【図１】
2005290676.tif 000003
【図２】
2005290676.tif 000004
【図３】
2005290676.tif 000005
【図４】
2005290676.tif 000006
【図５】
2005290676.tif 000007
【図６】
2005290676.tif 000008
【図７】
2005290676.tif 000009